(57)【要約】【課題】  メモリカードソケットのソルダプロセスを排除しメモリカードを直接挿入する際にメモリカード挿入の圧力により各端子を圧着導通させ、回路板の急速導通を達成する。【解決手段】  ソケットは回路板の上方に嵌め止めされ、回路板とソケットの間の導通点が上下に正確に対応し、ソケットの挿入溝の内部底層平面に端子と同じ数の嵌め溝が設けられ、各嵌め溝の底部が露出し、前方に接合部が設けられ、嵌め溝内の各端子が一端で溝壁に固定され、別端がそれを支点として高い弾性を有するサスペンションアーム状を呈し、端子は下向きに湾曲し、且つ湾曲部分に圧接面或いは圧接点を具え、それより端子が上向きに延伸さてメモリカードに圧接される湾曲部が形成され、湾曲部の収合端が嵌め溝前方に設けられた保護層板下方に内蔵される。【選択図】        図３
0003109625.tif 000002
【実用新案登録請求の範囲】
【請求項１】
ソケットが回路板の上方に嵌め止めされ、回路板とソケットの間の導通点が上下に正確に対応し、ソケットの挿入溝の内部底層平面に端子と同じ数の嵌め溝が設けられ、各嵌め溝の底部が露出し、嵌め溝の前方に接合部が設けられ、嵌め溝内の各端子が一端で溝壁に固定され、別端がそれを支点として高い弾性を有するサスペンションアーム状を呈し、端子は下向きに湾曲し、且つ湾曲部分に圧接面或いは圧接点を具え、それより端子が上向きに延伸さてメモリカードに圧接される湾曲部が形成され、湾曲部の収合端が嵌め溝前方に設けられた保護層板下方に内蔵されたことを特徴とする、ソルダーレスメモリカードソケット。
【考案の詳細な説明】
【技術分野】
【０００１】
本考案は一種のソルダレスメモリカードソケットに係り、特に、速やかに回路板の各接点に接続できるメモリカードソケットであり、メモリカードソケットの多くの端子に必要なソルダ加工プロセス及びコストを免除し、メモリカードソケットを速やかに交換でき、高い実用機能を具えた、ソルダレスメモリカードソケットに関する。
【背景技術】
【０００２】
現在周知のメモリカード及びメモリカードソケットの技術領域にあって、マイクロ化とマルチ挿入機能が主要な設計方向とされることが多く、長きにわたりメモリカードには大きな改変と関係技術の進歩はなく、挿入により接続を達成するものとされている。このため、構造上、その他の或いは多種類の長所はない。現在デジタルカメラ、ノートブック型コンピュータ、ＰＤＡ等の多元化された電子商品が次々と提供されており、これらは市場と消費者が周知の著名な商品となっている。メモリカードはこれらの商品に対して、相当に重要な役割を果たしており、メモリ能力の拡充はメモリカードのレベルにより強弱に差があり、実用性もそれにより異なっている。当然、このように精密さを標榜する電子商品に対する消費者の選択要件は、体積が極めて小さく、軽量薄型で、出し入れに便利で、耐用性があることであり、現在のメモリカード及びメモリカードソケットはこの目標に向けて努力している。
【考案の開示】
【考案が解決しようとする課題】
【０００３】
現在のメモリカードソケットは、いずれも回路板に直接配置されてその運転を達成するものとされる。図１に示されるように、現在周知のメモリカードソケットは、その各端子Ａ１がそれぞれ回路板に設けられた接点Ａ２にソルダリングされている。現在最新のＳＭＴソルダ技術によると、マイクロ化ソルダポイントは相当に精密なレベルに達しており、ソルダ加工のコストは大きな負担となっている。さらにソルダ加工は理想的なレベルに完全に達してはおらず、ソルダポイント位置のエラー或いはソルダ不良による脱落問題、及び後日のソルダポイントの腐蝕の問題等がいずれも直接にソルダ品質、技術及びコスト負担に関係し、また製品の使用寿命を左右してしまう。特に、製品が追求する低コストは消費者を取り込む販売戦略であるが、周知のメモリカードソケットにおいては実現が難しい。このため、ソルダ方式が不要で、同等の接続を達成できるメモリカードソケット、及び連動性のオンオフ機能の形成、及び速やかに回路板と分離できるメモリカードソケットの達成は技術上の大きな革新となり、このような長所が本考案の討論する主要な課題である。
【課題を解決するための手段】
【０００４】
請求項１の考案は、ソケットが回路板の上方に嵌め止めされ、回路板とソケットの間の導通点が上下に正確に対応し、ソケットの挿入溝の内部底層平面に端子と同じ数の嵌め溝が設けられ、各嵌め溝の底部が露出し、嵌め溝の前方に接合部が設けられ、嵌め溝内の各端子が一端で溝壁に固定され、別端がそれを支点として高い弾性を有するサスペンションアーム状を呈し、端子は下向きに湾曲し、且つ湾曲部分に圧接面或いは圧接点を具え、それより端子が上向きに延伸さてメモリカードに圧接される湾曲部が形成され、湾曲部の収合端が嵌め溝前方に設けられた保護層板下方に内蔵されたことを特徴とする、ソルダーレスメモリカードソケットとしている。
【考案の効果】
【０００５】
本考案の長所は以下のとおりである。
１．本考案を利用することでソルダプロセスにかかる加工コスト負担を免除できるほか、ソルダプロセスの省略により得られる時間が量産化による低コストの最終目標の達成に役立つ。
２．本考案によりメモリカードソケットはメモリカードの挿入及び抜き取りにより同期性のオンとオフの機能を達成できるものとなり、これにより極めて実用的な機能を達成する。
３．本考案のメモリカードソケットは、回路板にソルダリングにより固着されないため、回路板からの取り外しの困難がない。
４．本考案の端子構造は、高い弾性機能を具えて回路板の接点に圧接可能であるほか、端子の湾曲部が同期にメモリカードに嵌め止めされる能力を補助し、一回でメモリカードを嵌め止めできる能力を具備する。
【０００６】
総合すると、本考案は新規な理念を具えた考案であり、更に構造の優れた設計により、豊富な応用、相補と付加機能が増されている。これにより、本考案は設計は簡単であるが、高い進歩と利用性を有するものである。
【考案を実施するための最良の形態】
【０００７】
本考案によると、メモリカードソケットを回路板に強固に嵌め止めし、並びに導通が必要な端子を回路板の接点上方に対応させる。次に、メモリカードソケットの各端子を、高い弾性を有して湾曲する機能を具えた設計とし、並びにその一端をソケットの嵌め溝の壁に固定し、支点を具えたサスペンションアーム状となし、端子の別端を湾曲状態とし、ソケットの挿入溝の水平面よりやや高くする。更に、メモリカードをメモリカードソケットに挿入する際に、メモリカードを深く、緊密にソケットの挿入溝内に挿入することで、メモリカードの圧接動作によりソケット内部の各端子を下向きに圧迫して変形させ、この変形に全体の端子が動作する時、端子の下の湾曲する底部が嵌め溝を通して露出して回路板の接点と相互に接触するようにし、圧接性の接触導通を形成させる。これにより、本考案のメモリカードソケットは多くの端子をソルダ加工するプロセスとコストを免除でき、またソケットの交換を容易とする。
【０００８】
本考案は回路板、ソケット及び各位置決めの端子により構成される。そのうち、ソケットは回路板の上方に嵌め止めされ、回路板とソケットの間の導通点が上下に正確に対応し、ソケットの挿入溝の内部底層平面に端子と同じ数の嵌め溝が設けられ、各嵌め溝の底部が露出し、前方に接合部が設けられ、嵌め溝内の各端子が一端で溝壁に固定され、別端がそれを支点として高い弾性を有するサスペンションアーム状を呈し、端子は下向きに湾曲し、且つ湾曲部分に圧接面或いは圧接点を具え、それより端子が上向きに延伸さてメモリカードに圧接される湾曲部が形成され、湾曲部の収合端が嵌め溝前方に設けられた保護層板下方に内蔵される。
【０００９】
メモリカード未挿入時に、端子は上向きに起きた状態を呈し、ゆえに回路板の接点と接触せず、全体のメモリカードはオフ状態を呈する。メモリカードがソケットに挿入される時、メモリカードが各端子の湾曲部に圧接し、端子が圧迫されて変形し、端子の圧接面（或いは圧接点）が下向きに回路板の接点と接触し導通する。言い換えると、本考案の構造は実用面で、メモリカードソケットに連動性のオンオフ機能、即ち挿入によりオンし、抜き取りによりオフする機能を具備させるものである。これにより本考案は確実に高い付加実用価値を具えている。
【実施例１】
【００１０】
図２、３に示されるように、本考案の構造は、ソケット１、位置決めの端子２、及び回路板３で構成されている。そのうち、ソケット１はソケット１はカバー１１で閉じられ、ソケット１は底部の嵌めピン１２により強固に回路板３の上方に固定され、回路板３のソケット１に対応する導通点３１が上下の正確な対応関係を呈するものとされ、これは図５にも示されるとおりである。
【００１１】
図３と図４、５に示されるように、ソケット１の挿入溝１３内部の底層平面に、端子２数量に対応する端子用の嵌め溝１４が設けられ、該嵌め溝１４の底部は露出構造１５とされ、前向きに接合部１５１が設けられ、端子２が圧迫されて変形する際に、当接して大きな変形を防止する機能を有するほか、有効に不当な圧迫力を分散させる。端子２は露出構造１５により下方の回路板の導通点３１と圧接し導通する。次に、ソケット１の嵌め溝１４内にあって、各端子２は一端が嵌め溝１４の壁に固定され、並びに別端がこれを支点として高い弾性を有するサスペンションアーム状を呈する。図４に示されるように、端子２の形態は嵌め溝１４の壁の端部に固定されて延伸されてまず下向きに折り曲げられた形態とされ、この形態は圧接面（或いは点）２１を具え、さらにこれより上向きに延伸され、メモリカードＢの圧接を受ける湾曲部２２が形成され、該湾曲部２２の収合端２３が嵌め溝１４前方に設けられた保護層板１６下方に内蔵され、端子２の末端部を保護する。
【００１２】
図５に示されるように、正常状態時（メモリカード未挿入）に、端子２は上向きに起き上がった状態を呈し、ゆえに回路板３の導通点３１と圧接導通せず、全体のメモリカードはオフ状態を呈する。メモリカードＢがソケット１に挿入される時、メモリカードＢが各端子２の湾曲部２２に圧接し、端子２が下圧されて変形する時、端子２が下向きに回路板３の導通点３１に圧接し、導通のオン状態を形成する。
【００１３】
これにより、上述の構造から明らかであるように、本考案のソケットと端子はソルダリングプロセスとコストを排除でき、並びにメモリカードの挿入或いは抜き取りと同期性のオンとオフの効果を達成でき、極めて実用的である。
【００１４】
総合すると、本考案は予期された効果を達成し、簡単な構造で新規性と進歩性の要件を達成している。
【図面の簡単な説明】
【００１５】
【図１】周知のメモリカードソケットと回路板間のソルダリング関係表示図である。
【図２】本考案の立体外観図である。
【図３】本考案の各部分の分解図である。
【図４】本考案の端子の平面図である。
【図５】本考案の局部断面図である。
【符号の説明】
【００１６】
１  ソケット
１１  カバー
１２  嵌めピン
１３  挿入溝
１４  嵌め溝
１５  露出構造
１５１  接合部
１６  保護層板
２  端子
２１  圧接面
２２  湾曲部
２３  収合端
３  回路板
３１  導通点
Ｂ  メモリカード
【図１】
0003109625.tif 000003
【図２】
0003109625.tif 000004
【図３】
0003109625.tif 000005
【図４】
0003109625.tif 000006
【図５】
0003109625.tif 000007